(57)【特許請求の範囲】
【請求項１】
（ａ）下記（Ｉ）〜（III）から選ばれる一種以上の抗菌性化合物０．０１〜１０重量％、（ｂ）分子中に炭素数８〜２２のアルキル基又はアルケニル基を１つ以上有し、ＨＬＢが０．５〜５である分子量４５０〜１５００の非イオン性親油性化合物０．１〜２０重量％、及び（ｃ）ＨＬＢが５を越える（ａ）成分以外の非イオン又は陰イオン界面活性剤０．１〜３０重量％を含有し、残部が水である繊維製品防臭処理剤。
（Ｉ）トリクロサン、ビス−（２−ピリジルチオ−１−オキシド）亜鉛、２，４，５，６−テトラクロロイソフタロニトリル、トリクロロカルバニリド、８−オキシキノリンから選ばれる１種以上の、２０℃における水への溶解度が１ｇ／１００ｇ以下、分子量が１００〜４２０、融点が４０℃以上で、４級アンモニウム基を含有しない抗菌性化合物
（II）下記一般式（１）の４級アンモニウム化合物及び下記一般式（２）の４級アンモニウム化合物から選ばれる、２０℃における水への溶解度が２ｇ／１００ｇ以上の、炭素数５〜１６のアルキル基を少なくとも１つ有する水溶性４級アンモニウム型抗菌性化合物
（III）２−（４−チオシアノメチルチオ）ベンズイミダゾール、ポリリジン、ポリヘキサメチレンビグアニリド及びグルクロン酸クロルヘキシジンから選ばれる一種以上の抗菌性化合物
【化１】
0003883763.tif 000013
〔式中、Ｒ1、Ｒ6は炭素数５〜１６のアルキル基又はアルケニル基であり、Ｒ3、Ｒ4は炭素数１〜３のアルキル基又はヒドロキシアルキル基である。Ｔは−ＣＯＯ−、ＯＣＯ−、−ＣＯＮＨ−、−ＮＨＣＯ−、
【化２】
0003883763.tif 000014
あるいは連結手である。Ｒ2、Ｒ5は炭素数１〜６のアルキレン基又は−(Ｏ−Ｒ7)n−である。ここでＲ7はエチレン基もしくはプロピレン基であり、ｎは１〜１０の数である。さらにＺ−は陰イオン基である。〕
【請求項２】
（ｂ）成分の非イオン性親油性化合物が、（ｂ１）炭素数８〜２２の飽和又は不飽和の脂肪酸とグリセリン、ペンタエリスリトール、ソルビトール、エチレングリコール、プロピレングリコール、ジエチレングリコール又はジプロピレングリコールとのモノ、ジ、トリ又はテトラエステル体、又はそれらの混合物、（ｂ２）炭素数８〜２０のアルコールが少なくとも１つ付加したグリセリルエーテル又はジグリセリルエーテルあるいはこれらの混合物、（ｂ３）炭素数８〜２０の脂肪酸と炭素数１〜２０のアルコールとのエステル化合物、から選ばれる請求項１記載の繊維製品防臭処理剤。
【請求項３】
さらに、下記（ｉ）群と（ii）群の両群から選ばれるそれぞれ一種以上の香料成分を含有する香料組成物を含有する請求項１又は２記載の繊維製品防臭処理剤。
（ｉ）１−ヘプタノール、α−メチルイオノン、アルデヒドＣ−１０、アルデヒドＣ−１１、アルデヒドＣ−９、アリルヘプタノエート、アニスアルデヒド、ベンズアルデヒド、ベンズアセテート、ベンジルアセテート、ブチルプロピオネート、セダーリーフオイル、セドロール、セドリルアセテート、シンナミックアルコール、シナモンリーフ、シトロネラオイル、シトロネラール、グローブバッドオイル、シクラメンアルデヒド、エチルブチレート、エチルカプロエート、エチルイソブチレート、エチルイソバレエート、エチルプロピオネート、ユーカリプタスオイル、オイゲノール、ファルネゾール、ゲラニオール、ヘプチルアルデヒド、ヘプチルホルメート、ヘキシルアセテート、ハイドロトロピックアルデヒド、イソボニルアセテート、イソアミルホルメート、リモネン、リナルール、リナリルアセテート、メチルヘプテノン、ノニルアルデヒド、オルガナムオイル、ｐ−クレシルアセテート、ｐ−メチルアセトフェノン、フェニルアセトアルデヒド、プロピルプロピオネート、スペアミントオイル、テルペニルアセテート、リナロール、テトラハイドロリナロール、チモール、イソボルニルアセテート。
（ii）α−イオノン、β−イオノン、アセチルセドレン、アセチルオイゲノール、アルコールＣ−１０、アルコールＣ−１１ウンデシレニック、アルコールＣ−１２、アルデヒドＣ−１４、アルデヒドＣ−１８、アニスアルコール、アニシルアセテート、ベンジルベンゾエート、ベンジルイソバレエート、ベンジルサリシレート、シンナミルアセテート、シトロネロール、シトロネリルイソブチレート、シトロネリルオキシアセトアルデヒド、クマリン、エチルシンナメート、エチルバニリン、ゲラニルイソブチレート、ゲラニルチグレート、ヘリオトロピン、ヘキシルシンナミックアルデヒド、ヒドロキシシトロネラール、インドール、イソアミルシンナミックアルデヒド、イソアミルサリシレート、ジャスモン、メチルアントラニレート、メチルシンナメート、ムスコン、ムスクケトン、ネロリドール、ペンタライド、フェニルアセティックアシッド、バニリン。
【請求項４】
（ｉ）群から選ばれる香料成分を５〜７０重量％、（ii）群から選ばれる香料成分を１０〜５０重量％、且つ（ｉ）／（ii）＝１０／１〜１／１０の重量比で含有する香料組成物を０．０１〜２重量％含有する請求項３記載の繊維製品防臭処理剤。
【発明の詳細な説明】
【０００１】
【発明の属する技術分野】
本発明は繊維製品防臭処理剤に関する。
【０００２】
【従来の技術及び発明が解決しようとする課題】
通常の洗濯で衣料等を洗濯した場合、洗浄終了後は汚れと共に菌や微生物もある程度除去されているが、つゆ時の室内乾燥等、微生物の繁殖し易い環境で衣料を乾燥あるいは保存したとき、菌に由来する不快な臭いが衣料に付着する。また、衣料やタオル等は、汗や皮脂等に由来する体臭が衣料に付着し、不愉快でありしかも衛生的に好ましくない。このような衣料の臭いを除去する方法として近年、特表平１０−５０３９５８号公報記載のような香料、シクロデキストリン及び亜鉛塩を配合するのスプレー型消臭剤が提案されている。しかしながら、スプレー型の消臭剤は、早急に消臭したい場合や、局部的な使用に対しては有効であるが、衣料ないしバスタオル等の繊維製品をまとめて処理するためには、不都合であり経済的にも好ましくない。
【０００３】
本発明の課題は、繊維製品の防臭処理において、洗濯機を用いて、繊維製品を多量に且つ気軽に防臭処理することができ、且つ長時間消臭効果を持続させることである。
【０００４】
【課題を解決するための手段】
本発明は、（ａ）抗菌性化合物０．０１〜１０重量％、（ｂ）分子中に炭素数８〜２２のアルキル基又はアルケニル基を１つ以上有し、ＨＬＢが０．５〜５である分子量４５０〜１５００の非イオン性又は陽イオン性親油性化合物０．１〜２０重量％、及び（ｃ）ＨＬＢが５を越える（ａ）成分以外の非イオン又は陰イオン界面活性剤０．１〜３０重量％を含有し、残部が水である繊維製品防臭処理剤を提供する。
【０００５】
なお、本発明において、ＨＬＢは化合物を構成している基のＨＬＢ基数の合計に７を加算した値であり、ｐＨによりイオン形態をとり得る基は、ナトリウム塩の数値を採用するものとする。以下特定の基のＨＬＢ基数を示す（［  ］内がＨＬＢ基数である）。
硫酸基［＋３８．７］、カルボン酸基［＋２１．１］、Ｎ（アミン又はアンモニウム）［＋９．４］、−ＣＯＯ−［＋２．４］（ソルビタン環の場合は［＋６．８］とする）、−ＯＨ［＋１．９］（ソルビタン環の場合は［＋０．５］とする）、−Ｏ−［＋１．３］、−ＮＨＣＯ−［＋３．０］、ＣＨ3−［−０．４７５］、−ＣＨ2−［−０．４７５］、＝ＣＨ−［−０．４７５］、−(ＣＨ2−ＣＨ2−Ｏ)−［＋０．３３］、−(ＣＨ(ＣＨ3)−ＣＨ2−Ｏ)−［−０．１５］。
【０００６】
また、本発明において親油性化合物とは、２０℃のイオン交換水１００ｇに対する溶解度が０．１ｇ以下の化合物を示す。
【０００７】
【発明の実施の形態】
本発明の（ａ）成分の抗菌性化合物は、木綿金巾＃２００３に該化合物１重量％を均一に付着させた布を用いＪＩＳ  Ｌ  １９０２「繊維製品の抗菌性試験法」に準じた方法で抗菌性試験を行い阻止帯が見られる化合物である。このような化合物としては「香粧品、医薬品防腐・殺菌剤の科学」（吉村孝一、滝川博文著、フレグランスジャーナル社、１９９０年４月１０日発行）の５０１頁〜５６４頁に記載されているものから選択することができる。
【０００８】
本発明の（ａ）成分としては、特に下記（Ｉ）〜（III）の抗菌性化合物が好ましい。
（Ｉ）２０℃における水への溶解度が１ｇ／１００ｇ以下、好ましくは０．５ｇ／１００ｇ以下、分子量が１００〜４２０、好ましくは１５０〜４１０、融点が４０℃以上で、４級アンモニウム基を含有しない抗菌性化合物（但し、有機過酸又は有機過酸化物は除く。）
（II）２０℃における水への溶解度が２ｇ／１００ｇ以上、好ましくは５ｇ／１００ｇ以上の、炭素数８〜１６のアルキル基を少なくとも１つ有する水溶性４級アンモニウム型抗菌性化合物
（III）２−（４−チオシアノメチルチオ）ベンズイミダゾール、ポリリジン、ポリヘキサメチレンビグアニリド及びグルクロン酸クロルヘキシジンから選ばれる一種以上の抗菌性化合物。
【０００９】
（Ｉ）の性質を満たす化合物として好ましいものはトリクロサン、ビス−（２−ピリジルチオ−１−オキシド）亜鉛、２，４，５，６−テトラクロロイソフタロニトリル、トリクロロカルバニリド、８−オキシキノリン、デヒドロ酢酸、安息香酸エステル類、クロロクレゾール類、クロロチモール、クロロフェン、ジクロロフェン、ブロモクロロフェン、ヘキサクロロフェンから選ばれる１種以上である。特にトリクロサンが臭いの抑制効果の点で好ましい。また、特開平１１−１８９９７５号に記載されているトリクロサン類自体も良好であり、具体的にはジクロロヒドロキシジフェニリエーテル、モノクロロヒドロキシジフェニルエーテルが好ましい。
【００１０】
（II）の化合物としては下記一般式（１）又は（２）の４級アンモニウム化合物を使用することも好ましい。
【００１１】
【化１】
0003883763.tif 000002
【００１２】
〔式中、Ｒ1、Ｒ6は炭素数５〜１６、好ましくは７〜１４のアルキル基又はアルケニル基、好ましくはアルキル基であり、Ｒ3、Ｒ4は炭素数１〜３のアルキル基又はヒドロキシアルキル基である。Ｔは−ＣＯＯ−、ＯＣＯ−、−ＣＯＮＨ−、−ＮＨＣＯ−、
【００１３】
【化２】
0003883763.tif 000003
【００１４】
あるいは連結手である。Ｒ2、Ｒ5は炭素数１〜６のアルキレン基又は−(Ｏ−Ｒ7)n−である。ここでＲ7はエチレン基もしくはプロピレン基、好ましくはエチレン基であり、ｎは１〜１０、好ましくは１〜５の数である。さらにＺ-は陰イオン基、好ましくはハロゲンイオン、炭素数１〜３のアルキル硫酸イオンである。〕
ここで、連結手とはＲ1とＲ2とを直接つなぐ共有結合のことを指す。
【００１５】
最も好ましい４級アンモニウム化合物としては下記のものを挙げることができる。なお、式中のＺ-は前記と同様の意味である。
【００１６】
【化３】
0003883763.tif 000004
【００１７】
なお、本発明の（ａ）抗菌性化合物は、抗菌以外にも殺菌、制菌作用を有するものであってもよい。また（ａ）抗菌性化合物は後述する（ｄ）成分の香料成分を除くものとする。
【００１８】
（ａ）成分は、繊維製品防臭処理剤中に０．０１〜１０重量％、好ましくは０．０５〜５重量％、より好ましくは０．１〜５重量％含有される。
【００１９】
（ｂ）成分の非イオン性又は陽イオン性親油性化合物を配合することにより、（ａ）抗菌性化合物を処理液中で繊維製品に効率よく吸着させることができ、消臭効果を高め且つ持続性を付与することができる。
【００２０】
（ｂ）成分は、分子中に炭素数８〜２２のアルキル基又はアルケニル基を１つ以上有し、且つＨＬＢが０．５〜５、好ましくは１〜４、より好ましくは１．５〜３．５であり、分子量が４５０〜１５００、好ましくは５００〜１２００のものである。このような非イオン性又は陽イオン性親油性物質は、（ａ）成分をすすぎ液中で衣料に効率よく吸着させることができ、消臭効果を高め且つ持続性を付与することができる。非イオン性親油性物質としては炭素数８〜２２の脂肪酸と炭素数１〜１２の脂肪族アルコール、又は多価アルコールのエステル化合物等を挙げることができ、陽イオン性親油性物質としては炭素数１４〜２０のアルキル基又はアルケニル基を２個以上有する４級アンモニウム化合物を挙げることができる。
【００２１】
これらの中でも非イオン性親油性物質が好ましく、特に炭素数８〜２２、好ましくは１０〜２０、より好ましくは１２〜１８の飽和又は不飽和の脂肪酸とグリセリン、ペンタエリスリトール、ソルビトール、エチレングリコール、プロピレングリコール、ジエチレングリコール、ジプロピレングリコールのモノ、ジ、トリ、テトラエステル体又はそれらの混合物や、炭素数８〜２０、好ましくは１２〜１８のアルコールが少なくとも１つ付加したグリセリルエーテル又はジグリセリルエーテルあるいはこれらの混合物、あるいは炭素数８〜２０、好ましくは１２〜１８の脂肪酸と炭素数１〜２０、好ましくは１〜１８のアルコールとのエステル化合物である。これらの中でもグリセリン、ペンタエリスリトール、ソルビトールと炭素数１２〜１８の脂肪酸とのエステル化合物又はこれらの混合物が最も好ましい。なおモノ、ジ、トリ及びテトラエステル体などの混合物として配合される場合は、ＨＬＢ及び分子量はこれらの平均として取り扱うものとする。
【００２２】
（ｂ）成分は、繊維製品防臭処理剤中に、０．１〜２０重量％、好ましくは０．５〜１０重量％含有され、より好ましくは０．５〜５重量％含有される。最も好ましい態様は、（ａ）抗菌性化合物として、前記（Ｉ）〜（III）から選ばれるものを使用し、且つ（ａ）抗菌性化合物／（ｂ）非イオン性又は陽イオン性親油性化合物の重量比が１／１５０〜１／２、特に１／１００〜１／２となるように配合することである。
【００２３】
本発明では、（ｂ）成分の非イオン性又は陽イオン性親油性化合物を可溶化、分散又は乳化させるために（ｃ）成分の非イオン又は陰イオン界面活性剤を配合する。（ｃ）成分は（ａ）成分の抗菌性化合物以外のものであり、また前記定義によるＨＬＢが５を越えるものである。
【００２４】
このような非イオン界面活性剤としては炭素数８〜２０のアルキル基又はアルケニル基を１つ以上有するポリオキシエチレンアルキルエーテルが好ましく、特に一般式（３）の非イオン界面活性剤が良好である。
Ｒ8−Ｔ−[(Ｒ9Ｏ)p−Ｈ]q      （３）
〔式中、Ｒ8は、炭素数１０〜１８、好ましくは１２〜１８のアルキル基又はアルケニル基であり、Ｒ9は炭素数２又は３のアルキレン基であり、好ましくはエチレン基である。ｐは２〜１００、好ましくは５〜８０、特に好ましくは２０〜６０の数を示す。Ｔは−Ｏ−、−Ｎ−又は−ＣＯＮ−であり、Ｔが−Ｏ−の場合はｑは１であり、Ｔが−Ｎ−又は−ＣＯＮ−の場合はｑは２である。〕。
【００２５】
一般式（３）の具体例として以下の化合物を挙げることができる。
Ｒ8−Ｏ−(Ｃ2Ｈ4Ｏ)r−Ｈ
〔式中、Ｒ8は前記の意味を示す。ｒは８〜１００、好ましくは２０〜８０の数である。〕
Ｒ8−Ｏ−(Ｃ2Ｈ4Ｏ)s(Ｃ3Ｈ6Ｏ)t−Ｈ
〔式中、Ｒ8は前記の意味を示す。ｓ及びｔはそれぞれ独立に２〜４０、好ましくは５〜４０の数であり、エチレンオキシドとプロピレンオキシドはランダムあるいはブロック付加体であってもよい。〕
【００２６】
【化４】
0003883763.tif 000005
【００２７】
陰イオン界面活性剤としては、アルキルベンゼンスルホン酸塩、アルキル硫酸塩、アルキルエーテル硫酸塩、オレフィンスルホン酸塩、アルカンスルホン酸塩類、飽和又は不飽和脂肪酸塩類、アルキル又はアルケニルエーテルカルボン酸塩類、α−スルホ脂肪酸塩類、又はα−スルホ脂肪酸エステル類等を挙げることができる。これらの中でもアルキルベンゼンスルホン酸塩、アルキル硫酸塩、アルキルエーテル硫酸塩、あるいは脂肪酸塩類を配合することが好ましく、特に飽和又は不飽和脂肪酸塩が好ましい。具体的にはカプリル酸、カプリン酸、ラウリン酸、ミリスチン酸、パルミチン酸、ステアリン酸、オレイン酸のナトリウム又はカリウム塩、あるいはこれらの混合物であり、特にラウリン酸、ステアリン酸、オレイン酸のナトリウム塩又はカリウム塩から選ばれる１種以上が良好である。また、ヤシ油、パーム油、パーム核油、牛脂から誘導されるアルキル組成を有する脂肪酸塩も好ましい。
【００２８】
（ｃ）成分のＨＬＢは５を越えるものであり、好ましくは６〜５０、より好ましくは８〜４５である。
【００２９】
（ｃ）成分は（ｂ）成分を可溶化、分散、乳化させるために必要な量が用いられ、０．１〜３０重量％、より好ましくは０．５〜２０重量％である。
【００３０】
（ｂ）成分及び（ｃ）成分は、（ｂ）成分／（ｃ）成分＝１０／１〜１／１０（重量比）となる比率で配合することが好ましく、特に５／１〜１／５が最も好ましい。
【００３１】
本発明の繊維製品防臭処理剤は、通常、上記（ａ）〜（ｃ）成分及び任意成分と残部の水とからなり、２０℃におけるｐＨが２〜９、更に２．５〜８、特に２．５〜７であることが消臭効果の点から好ましい。水の量は好ましくは４０〜９０重量％、より好ましくは５０〜９０重量％である。
【００３２】
本発明では更に上記（ａ）〜（ｃ）成分に加えて（ｄ）成分として、下記（ｉ）群と（ii）群の両群から選ばれるそれぞれ一種以上の香料成分を含有する香料組成物を含有することが好ましい。
（ｉ）１−ヘプタノール、α−メチルイオノン、アルデヒドＣ−１０、アルデヒドＣ−１１、アルデヒドＣ−９、アリルヘプタノエート、アニスアルデヒド、ベンズアルデヒド、ベンズアセテート、ベンジルアセテート、ブチルプロピオネート、セダーリーフオイル、セドロール、セドリルアセテート、シンナミックアルコール、シナモンリーフ、シトロネラオイル、シトロネラール、グローブバッドオイル、シクラメンアルデヒド、エチルブチレート、エチルカプロエート、エチルイソブチレート、エチルイソバレエート、エチルプロピオネート、ユーカリプタスオイル、オイゲノール、ファルネゾール、ゲラニオール、ヘプチルアルデヒド、ヘプチルホルメート、ヘキシルアセテート、ハイドロトロピックアルデヒド、イソボニルアセテート、イソアミルホルメート、リモネン、リナルール、リナリルアセテート、メチルヘプテノン、ノニルアルデヒド、オルガナムオイル、ｐ−クレシルアセテート、ｐ−メチルアセトフェノン、フェニルアセトアルデヒド、プロピルプロピオネート、スペアミントオイル、テルペニルアセテート、リナロール、テトラハイドロリナロール、チモール、イソボルニルアセテート。
（ii）α−イオノン、β−イオノン、アセチルセドレン、アセチルオイゲノール、アルコールＣ−１０、アルコールＣ−１１ウンデシレニック、アルコールＣ−１２、アルデヒドＣ−１４、アルデヒドＣ−１８、アニスアルコール、アニシルアセテート、ベンジルベンゾエート、ベンジルイソバレエート、ベンジルサリシレート、シンナミルアセテート、シトロネロール、シトロネリルイソブチレート、シトロネリルオキシアセトアルデヒド、クマリン、エチルシンナメート、エチルバニリン、ゲラニルイソブチレート、ゲラニルチグレート、ヘリオトロピン、ヘキシルシンナミックアルデヒド、ヒドロキシシトロネラール、インドール、イソアミルシンナミックアルデヒド、イソアミルサリシレート、ジャスモン、メチルアントラニレート、メチルシンナメート、ムスコン、ムスクケトン、ネロリドール、ペンタライド、フェニルアセティックアシッド、バニリン。
【００３３】
本発明では香料組成物中に（ｉ）群から選ばれる香料成分が５〜７０重量％、特に１０〜５０重量％、（ii）群から選ばれる香料成分が１０〜５０重量％、特に２０〜５０重量％を占めるのが好ましく、更に（ｉ）／（ii）＝１０／１〜１／１０、特に５／１〜１／２の重量比であるのが消臭持続性の点で好ましい。
【００３４】
香料組成物は防臭処理剤中に０．０１〜２重量％、更に０．０５〜１重量％、特に０．１〜１重量％含有するのが好ましい。
【００３５】
なお、前記香料組成物は、イソプロピルミリステレート、２−メチル−２，４−ジヒドロキシブタン、２−メチル−２，４−ジヒドロキシペンタン、２，４−ジヒドロキシブタン、ジプロピレングリコール及びトリプロピレングリコールから選ばれる一種以上の化合物に希釈したものを配合することが好ましい。
【００３６】
本発明では貯蔵安定性の点から（ｅ）成分として溶剤（（ｄ）成分の香料成分を除く）を配合することが好ましい。このような溶剤としては下記一般式（４）から求められるδが２０〜４０、好ましくは２２〜３５であり、且つ沸点が１００〜３５０℃以上、好ましくは１５０〜３００℃の溶剤が好ましい。
δ＝[（１４８２０＋９９．２Ｔｂ＋０．０８４Ｔｂ2）／Ｖ]1/2  （４）
（式中；Ｔｂは沸点（°Ｋ）、Ｖは２０℃におけるモル容積である）
ここで本発明のδは溶解度パラメータを近似するものであり「溶液と溶解度」（篠田耕三著、平成３年４月３０日、丸善（株）発行）の７８頁〜８２頁に記載されているものである。本発明のδ値を満足する化合物としては炭素数３〜８のアルキルグリセリルエーテル、トリエチレングルコールモノフェニルエーテル、ジエチレングルコールモノエチルエーテル、ジエチレングリコールジエチルエーテル、トリエチレングリコールモノエチルエーテル、トリエチレングリコールジメチルエーテル、１，６−ヘキサンジイオール、２，５−ヘキサンジオール、３−ペンタノン、メチルエチルケトン、シクロヘキサノール、２−ヘキサノール、１−オクタノール等を挙げることができる。特にアルキルグリセリルエーテル類、ジ又はトリエチレングルコールのモノ又はジアルキル（アリル）エーテル類が好ましい。本発明の防臭処理剤は、（ｅ）成分を０．５〜２０重量％、特に１〜１０重量％含有するのが好ましい。
【００３７】
本発明では貯蔵安定性をさらに向上させる目的で無機塩、例えば塩化カルシウム等を０〜１０００ｐｐｍ、好ましくは１０〜５００ｐｐｍ添加することが望ましい。但し、脂肪酸塩類等の界面活性剤にはナトリウム塩やカリウム塩が含まれているが、このような界面活性剤の使用によって防臭処理剤中に混入する無機塩は上記制限を受けるものではない。
【００３８】
本発明の防臭処理剤は、衣料を通常の洗浄剤で洗浄後、すすぎの段階ですすぎ水に添加される。すすぎ水のｐＨが５〜８．５、特に６〜８の段階で添加することがより好ましい。
【００３９】
また、すすぎ水中の（ａ）成分の濃度が０．１ｐｐｍ〜２０ｐｐｍ、衣料１ｋｇに対して（ａ）成分が０．０１〜３ｇ、好ましくは０．０１〜１ｇになるように添加することが効果的な消臭と持続性の点で好ましい。
【００４０】
本発明の防臭処理剤をすすぎ水に添加後、１〜１０分すすぎ工程を行い、次いで脱水し、自然乾燥あるいは乾燥機による乾燥を行ってもよい。さらに、アイロン仕上げ工程を行っても効果を損なうことがない。
【００４１】
【実施例】
＜配合成分＞
以下に実施例に用いた成分を示す。
ａ−１：トリクロサン（チバガイギー社製）
ａ−２：２，４，５，６−テトラクロロイソフタロニトリル(クミアイ化学社製)
ａ−３：ビス−(２−ピリジルチオ−１−オキシド)亜鉛（日本オーリン社製）
ａ−４：８−オキシキノリン（東京化成社製）
ａ−５：２−(４−チオシアノメチルチオ)ベンズイミダゾール(大塚化学社製)
ａ−６：トリクロロカルバニリド（東京化成社製）
ａ−７：ポリヘキサメチレンビグアニジン塩酸塩（ロンザジャパン社製）
ａ−８：グルクロン酸クロルヘキシジン（東京化成社製）
ａ−９：ポリリジン（平均重合度２５、チッソ社製）
【００４２】
【化５】
0003883763.tif 000006
【００４３】
ｂ−１：ステアリン酸モノ、ジ、トリグリセリド混合物（モノ：ジ：トリ＝６０：３５：５、ＨＬＢ＝０．５）
ｂ−２：オレイン酸ペンタエリスリトールモノ、ジ、トリ、テトラエステル（モノ：ジ：トリ：テトラ＝８０：１０：７：３、ＨＬＢ＝２．１５）
ｂ−３：ステアリルグリセリルエーテル（ＨＬＢ＝２．１３）
ｃ−１：炭素数１２の飽和アルコールにエチレンオキサイドを平均２１モル付加させたもの（ＨＬＢ＝１０．１３）
ｃ−２：ラウリンアミンにエチレンオキシドを平均２０モル付加させたもの（ＨＬＢ＝１９．２）
ｃ−３：ステアリン酸ナトリウム（ＨＬＢ＝１８．０）
ｅ−１：Ｃ8Ｈ17ＯＣＨ2ＣＨ(ＯＨ)ＣＨ2ＯＨ（δ＝２１．９６）
ｅ−２：Ｃ5Ｈ11ＯＣＨ2ＣＨ(ＯＨ)ＣＨ2ＯＨ（δ＝２３．２７）
ｅ−３：トリエチレングリコールモノフェニルエーテル（δ＝２０．９２）
ｆ−１：塩化カルシウム
ｇ−１：色素（アシッドブルー９）。
【００４４】
実施例１
上記の化合物を用いて表１、２に示す繊維製品防臭処理剤を調製した。なお、香料は、表３〜６に示す香料成分からなるものを用いた。
【００４５】
ワイシャツ（木綿９０％、ポリエステル１０％）５枚を市販の弱アルカリ性洗剤（花王（株）製アタック）を用いて洗濯機で洗浄した（東芝製２槽式洗濯機ＶＨ−３６０Ｓ１、洗剤濃度０．０６６７重量％、水道水３０Ｌ使用、水温２０℃、１０分間）。その後洗浄液を排出し、１分間脱水後、３０Ｌの水道水を注水して５分間すすぎを行い、排水後１分間脱水を行った。その後再度３０Ｌの水道水を注水した後、表１、２の防臭処理剤１０ｇを添加し５分間攪拌した（すすぎ水のｐＨは７．５であった）。その後、脱水し湿度７０％、２５℃の恒温室で１２時間乾燥した。
【００４６】
（臭い評価）
恒温室で乾燥させた衣料の臭いと、それら衣料を２０代男性５人に１２時間着用させた後の衣料の臭いを、それぞれ１０人のパネラー（３０代男性１０人）により下記の基準で判定し、平均点を求めた。結果を表１、２に示す。
ほとんど臭いを感じない……０
かすかに臭いを感じるが気にならない程度である……１
臭いがする……２
顕著に臭いがする……３。
【００４７】
（貯蔵安定性評価）
表１、２の防臭処理剤を広口規格ビン（ＰＳ  Ｎｏ１１）に１００ｍｌ入れ、−２０℃／１２時間→２０℃／１２時間のサイクルにプログラムされた恒温槽に入れ、１週間貯蔵した。貯蔵後の液の外観を５人の訓練したパネラーにより下記の基準で評価し、平均点を求めた。結果を表１、２に示す。
外観に変化がみられない……０
分離、沈殿がやや見られるが気にならない程度……１
ゲル化、分離、沈殿形成等の外観の変化がみられる……２
著しくゲル化、分離、沈殿形成等がみられる……３
【００４８】
【表１】
0003883763.tif 000007
【００４９】
【表２】
0003883763.tif 000008
【００５０】
【表３】
0003883763.tif 000009
【００５１】
【表４】
0003883763.tif 000010
【００５２】
【表５】
0003883763.tif 000011
【００５３】
【表６】
0003883763.tif 000012